(57)【要約】【課題】この発明は高さを低くすることができるようにしたベッド装置を提供することにある。【解決手段】平板状の複数の載置体２，３が直列に連結固定されこれら載置体がなす載置面２６にマットレス２７が載置されるベッド本体１と、このベッド本体の長手方向一端部と他端部との下面に設けられベッド本体を所定の高さで支持する支持脚８と、上記ベッド本体の長手方向の少なくとも一端に連結具１２によってほぼ垂直に連結固定されたヘッドボード１１とを具備する。【選択図】    図３
2004209090.tif 000002
【特許請求の範囲】
【請求項１】
平板状の複数の載置体が直列に連結固定されこれら載置体がなす載置面にマットレスが載置されるベッド本体と、
このベッド本体の長手方向一端部と他端部との下面に設けられベッド本体を所定の高さで支持する支持脚と、
上記ベッド本体の長手方向の少なくとも一端に連結具によってほぼ垂直に連結固定されたボード体と、
を具備したことを特徴とするベッド装置。
【請求項２】
上記連結具は、上記ボード体の上記ベッド本体側を向いた前面の下端部に一側面を接触させて固定される第１の連結板と、この第１の連結板の他側面に第１の連結板に対してほぼ直角に取付けられ下面を上記ベッド本体の端部の上面に接触させて固定される第２の連結板と、この第２の連結板の下面にほぼ直角に設けられ第２の連結板を上記ベッド本体の端部の上面に固定することで、このベッド本体の端部に形成された係合溝に係合する補強部材とから構成されていることを特徴とする請求項１記載のベッド装置。
【請求項３】
上記ベッド本体の複数の載置体の連結部分には、隣り合う載置体の下面に一端部と他端部とがそれぞれ連結固定された連結部材が設けられ、この連結部材には上記ベッド本体を上記支持脚と同じ高さで支持する補助脚が設けられていることを特徴とする請求項１記載のベッド装置。
【請求項４】
上記ベッド本体の幅方向両端には、上記載置面に載置される上記マットレスがこの載置面上で幅方向にずれ動くのを制限するずれ止め部材が設けられていることを特徴とする請求項１記載のベッド装置。
【発明の詳細な説明】
【０００１】
【発明の属する技術分野】
この発明はベッド本体の長手方向の端部にボード体が設けられるベッド装置に関する。
【０００２】
【従来の技術】
一般にベッド装置はベッド本体を有し、このベッド本体の長手方向の少なくとも一端にはボード体としてのヘッドボードが設けられた構成のものがある。上記ベッド本体は、一対のサイドフレームを有し、これらサイドフレームを所定間隔で平行に離間させ、その一端部に上記ヘッドボードを連結し、他端にフットボード或いはエンドフレームを連結して矩形枠状に構成される。
【０００３】
一対のサイドフレームの内面には受け桟が長手方向ほぼ全長にわたって設けられている。この受け桟には床板が幅方向両端部を係合させて設けられ、この床板上にマットレスが載置されるようになっている。
【０００４】
【発明が解決しようとする課題】
このように、ベッド本体がサイドフレームを用いて構成されると、このベッド本体の厚さ寸法がサイドフレームの高さ寸法によって決定されてしまう。つまり、上記サイドフレームは、その内面に床板を架設するための受け桟を設けなければならない。しかも、受け桟に架設された所定の厚さの床板は、上面をサイドフレームの上端面から所定寸法下方にし、床板上に載置されたマットレスが床板上でずれ動くのを規制しなければならない。つまり、サイドフレームの上端部を床板の上面よりも上方に位置させることで、床板上に載置されたマットレスがずれ動かないようにしている。
【０００５】
そのため、これらの理由によってサイドフレームの高さ寸法が大きくなるから、ベッド装置の高さ寸法も大きくなる。それによって、老人や身体の不自由な利用者には使用し難いということがあったり、たとえば和室に設置して利用する場合には高さの高いベッド装置は見栄えが悪いなどのことがあった。
【０００６】
サイドフレームを用いなければ、ベッド本体の高さを低くすることが可能となる。しかしながら、従来はヘッドボードをサイドフレームの端部に連結固定するようにしていたから、サイドフレームを用いない場合にはヘッドボードを設けることができなくなるということもあった。
【０００７】
この発明は、サイドフレームを用いずにベッド本体を形成することで、高さを低くすることができ、しかもボード体を確実に設けることができるようにしたベッド装置を提供することにある。
【０００８】
【課題を解決するための手段】
この発明は、平板状の複数の載置体が直列に連結固定されこれら載置体がなす載置面にマットレスが載置されるベッド本体と、
このベッド本体の長手方向一端部と他端部との下面に設けられベッド本体を所定の高さで支持する支持脚と、
上記ベッド本体の長手方向の少なくとも一端に連結具によってほぼ直角に連結固定されたボード体と、
を具備したことを特徴とするベッド装置にある。
【０００９】
上記連結具は、上記ボード体の上記ベッド本体側を向いた前面の下端部に一側面を接触させて固定される第１の連結板と、この第１の連結板の他側面に第１の連結板に対してほぼ直角に取付けられ下面を上記ベッド本体の一端の上面に接触させて固定される第２の連結板と、この第２の連結板の下面にほぼ直角に設けられ第２の連結板を上記ベッド本体の一端の上面に固定することで、このベッド本体の一端部に形成された係合溝に係合する補強部材とから構成されていることが好ましい。
【００１０】
上記ベッド本体の複数の載置体の連結部分には、隣り合う載置体の下面に一端部と他端部とがそれぞれ連結固定された連結部材が設けられ、この連結部材には上記ベッド本体を上記支持脚と同じ高さで支持する補助脚が設けられていることが好ましい。
【００１１】
上記ベッド本体の幅方向両端には、上記載置面に載置される上記マットレスがこの載置面上で幅方向にずれ動くのを制限するずれ止め部材が設けられていることが好ましい。
【００１２】
この発明によれば、ベッド本体を平板状の載置体によって構成し、この載置体の載置面にマットレスを載置するため、載置体の厚さ寸法を小さくすることができ、それに応じてベッド本体の高さを低くすることが可能となる。
【００１３】
【発明の実施の形態】
以下、図面を参照しながらこの発明の一実施の形態を説明する。
【００１４】
図１はこの発明の一実施の形態に係るベッド装置を示し、このベッド装置はベッド本体１を備えている。このベッド本体１は図２と図３に示すように矩形板状の２枚の載置体、つまり第１の載置体２と第２の載置体３が互いの一端面を突き合わせることで、直列に連結されてなる。すなわち、突き合わされる２枚の載置体２，３の端面には連結ピン４が嵌合される嵌合孔４ａ（第１の載置体２に形成された嵌合孔４ａだけ示す）が開口形成されている。各載置体２，３の嵌合孔４ａには上記連結ピン４の一端部と他端部とがそれぞれ嵌合されている。それによって、これら載置体２，３が連結されている。
【００１５】
第１、第２の載置体２，３の連結ピン４によって連結された連結部分の幅方向両端部の下面には、それぞれ帯板状の連結部材５が一端部と他端部とを各載置体２，３にねじ６によって固定されている。この連結部材５の下面の長手方向中途部には補助脚７が垂設されている。それによって、一対の載置体２，３の連結部材５により連結された部分は上記補助脚７によって所定の高さで支持される。
【００１６】
第１の載置体２と第２の載置体３との他端部の幅方向両端部の下面にはそれぞれ一対の支持脚８が取り付け固定されている。各支持脚８は上記補助脚７と同じ高さで第１、第２の載置体２，３を支持するようになっている。
【００１７】
上記ベッド本体１の長手方向の一端、すなわち第１の載置体２の他端にはヘッドボード１１が一対の連結具１２によってほぼ垂直に連結されている。すなわち、図４に示すように上記連結具１２は矩形状の第１の連結板１３を備えている。この第１の連結板１２の前面には同じく矩形状の第２の連結板１４がほぼ垂直に設けられている。
【００１８】
上記第２の連結板１４の下面には扁平な角パイプからなる補強部材１５の上面が固着されている。この補強部材１５の後端は上記第１の連結板１３の前面に固着されている。第１の連結板１３の四隅部には第１の座繰り孔１６が形成され、第２の連結板１４の四隅部には第２の座繰り孔１７が形成されている。
【００１９】
上記構成の連結具１２は、第１の連結板１３が背面を上記ヘッドボード１１のベッド本体１側を向いた内面の下端部に形成された第１の凹部１８に接触させ、この凹部１８に埋設された埋め込みナット（図示せず）に第１の座繰り孔１６を通したねじ１９を螺合することによって固定される。
【００２０】
上記第２の連結板１４は上記第１の載置体２の端部上面に形成された第２の凹部２１接触させ、図６（ｂ）に示すようにこの第２の凹部２１に埋設された埋め込みナット２２に第２の座繰り孔１７を通したねじ２３を螺合することで固定される。
【００２１】
第２の連結板１４の下面に設けられた補強部材１５は、第１の載置体２の上記第２の凹部２１の個所に、上下方向及び端面に開放して形成された係合溝２４に挿入係止される。
【００２２】
それによって、上記ヘッドボード１１は上記ベッド本体１の第１の載置体２の端部に、上記連結具１２によってほぼ垂直に取付け固定される。
【００２３】
上記第１の載置体２と第２の載置体３との幅方向両端面にはずれ止め部材２５が全長にわたって取付け固定されている。このずれ止め部材２５は図６（ｂ）に示すように一部が載置体２，３の上面よりも上方に突出している。
【００２４】
上記第１の載置体２と第２の載置体３との上面は載置面２６を形成しており、この載置面２６にはマットレス２７がウレタン樹脂などの摩擦抵抗を有する材料によって形成された滑り止めシート２８を介して載置される。
【００２５】
載置面２６に載置されたマットレス２７は、上記滑り止めシート２８によって載置面２６上でずれ動くのが制限されるとともに、たとえずれ動いてもずれ止め部材２５によって載置面２６の幅方向に大きくずれ動くのが阻止される。それによって、利用者は安定した状態でマットレス２７を利用することができる。
【００２６】
このような構成のベッド装置によれば、連結具１２を第１の連結板１３、第２の連結板１４及び補強部材１５とから構成し、第１の連結板１３をヘッドボード１１の前面に固定し、第２の連結板１４を第１の載置体２に固定するようにしたので、第１の載置体２と第２の載置体３とによって形成されたベッド本体１に上記ヘッドボード１１を取付け固定することができる。
【００２７】
つまり、ベッド本体１をサイドフレームを用いずに構成することが可能となる。そのため、ベッド本体１の厚さ寸法は第１、第２の載置体２，３の厚さ寸法によって設定することができるから、サイドフレームを用いて形成する場合に比べて十分に薄くすることが可能となる。
【００２８】
ベッド本体１を薄くすることができれば、このベッド本体１の載置面２６に載置されるマットレス２７の高さを十分に低くすることができる。それによって、老人や身体の不自由な利用者であっても、マットレス２７への乗り降りを容易に行うことができる、低いベッド装置とすることができる。なお、ベッド本体１は支持脚８と補助脚７とによって所定の高さで支持されるが、これら脚７，８は十分に短くすることが可能であるから、ベッド装置の低床化を妨げるものでない。
【００２９】
上記連結部材１２は第１の載置体２とヘッドボード１１とを連結するための第１の連結板１３と第２の連結板１４を有するだけでなく、これら第１、第２の連結板１３，１４を連結するとともに第１の載置体２に形成された係合溝２４に挿入係止する補強部材１５を備えている。
【００３０】
そのため、第１の連結板１３と第２の連結板１４とを高い強度でＴ字状に連結固定することができるから、それに応じて第１の載置体２とヘッドボード１１との連結強度を向上させることができ、しかも係合溝２４に挿入係止されていることで、ヘッドボード１１の幅方向に加わる荷重に対しても強度を呈することができる。
【００３１】
第１の連結板１３は、ヘッドボード１１に埋め込まれた埋め込みナットにねじ１９により連結されている。そのため、ヘッドボード１１の背面側にねじ１９やナットなどが露出しないから、ヘッドボード１１を部屋の壁面から離して設置することで、ヘッドボード１１の背面が露出しても、外観的に体裁が悪いということがない。
【００３２】
ベッド本体１は２つの載置体２，３を連結して形成されている。そのため、工場出荷時にはベッド本体１を２つの載置体２，３に分解して梱包することができるから、出荷時の梱包を小さくすることが可能となる。
【００３３】
ベッド本体１の第１の載置体２と第２の載置体３とを連結して組み立てる場合、これら載置体２，３の連結部分を連結部材５で連結し、しかも連結部材５に補助脚７を設けるようにした。
【００３４】
そのため、ベッド本体１が第１の載置体２と第２の載置体３とを連結して形成されていても、その連結部分に加わる荷重に対して連結部分が撓んだり、連結状態が損なわれるなどのことなく、十分な連結強度を呈することができる。
【００３５】
第１の載置体２と第２の載置体３との幅方向両端にはずれ止め部材２５が設けられている。そのため、このずれ止め部材２５によってマットレス２７が上記載置体２，３の上面がなす載置面２６上で幅方向に大きくずれ動くのが制限される。つまり、サイドフレームのない構造のベッド本体１であっても、マットレス２７がベッド本体１上でずれ動くのを防止できる。しかも、上記載置面２６に滑り止めシート２８を設けることで、マットレス２７が載置面２６上でずれ動くのを、より確実に防止することができる。
【００３６】
上記一実施の形態ではベッド本体の第１の載置体の端部にヘッドボードを連結する構成について説明したが、ヘッドボードだけでなく、第２の載置体３の端部にフットボードを連結する場合も、ヘッドボードと同様、連結具を用いて行うようにすればよい。
【００３７】
ベッド本体は２つの載置体に分割したが、ベッド本体は３つあるいはそれ以上の載置体に分割してもよい。
【００３８】
【発明の効果】
以上のようにこの発明によれば、ベッド本体を平板状の載置体によって構成し、この載置体の載置面にマットレスを載置するようにした。そのため、載置体の厚さ寸法を小さくすることができるから、それに応じてベッド本体の高さを低くすることが可能となる。
【図面の簡単な説明】
【図１】この発明の一実施の形態に係るベッド装置の正面図。
【図２】ヘッドボードを分解したベッド装置の斜視図。
【図３】ベッド装置全体の分解斜視図。
【図４】連結具の斜視図。
【図５】（ａ）は連結具の平面図、（ｂ）は側面図、（ｃ）は正面図。
【図６】（ａ）は第１の載置板の端部の平面図、（ｂ）は第１の載置板の端部の断面図。
【符号の説明】
１…ベッド本体、２…第１の載置体、３…第２の載置体、５…連結部材、７…補助脚、８…支持脚、１１…ヘッドボード（ボード体）、１２…連結具、１３…第１の連結板、１４…第２の連結板、１５…補強部材、２５…ずれ止め部材、２６…載置面、２７…マットレス。
【図１】
2004209090.tif 000003
【図２】
2004209090.tif 000004
【図３】
2004209090.tif 000005
【図４】
2004209090.tif 000006
【図５】
2004209090.tif 000007
【図６】
2004209090.tif 000008